【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
第１乃至第ｎの特定エリアを測距する１対の第１乃至第ｎのラインセンサと、
夫々、前記１対の第１乃至第ｎのラインセンサ内の各画素の出力を蓄積する１対の第１乃至第ｎの蓄積手段と、
夫々、前記１対の第１乃至第ｎの蓄積手段による蓄積量が飽和する前に蓄積を停止させる１対の第１乃至第ｎの蓄積制御手段と、
夫々、前記１対の第１乃至第ｎの蓄積手段による蓄積時間を計測する１対の第１乃至第ｎの蓄積時間計測手段と、
前記第１乃至第ｎの蓄積手段により蓄積された前記各画素の出力から被写体までの距離データの演算を行う演算手段と、
を有し、
予め選択された１対の第ｍ（１≦ｍ≦ｎ）のラインセンサからの出力を用いて前記演算手段が距離データを得る場合のほか、
前記第ｍのラインセンサとは異なるラインセンサからの出力を、当該ラインセンサに対応する蓄積時間計測手段により計測された蓄積時間を任意の一定の時間とした場合のものに変換した上で、当該ラインセンサからの変換後の出力を用いて前記演算手段が距離データの演算を行うことを特徴とする焦点検出装置。
【請求項２】
前記変換の対象に第ｍのラインセンサからの出力も含まれることを特徴とする請求項１に記載の焦点検出装置。
【請求項３】
前記第ｍのラインセンサからの出力を用いて距離データを得る場合のほか、
前記１対の第ｍのラインセンサの両側に隣接するラインセンサからの出力を、前記第ｍのラインセンサからの出力も含めて、当該ラインセンサに対応する蓄積時間計測手段により計測された蓄積時間を任意の一定の時間とした場合のものに変換した上で、これらのラインセンサからの変換後の出力を用いて前記演算手段が距離データの演算を行うことを特徴とする請求項１又は２に記載の焦点検出装置。
【請求項４】
前記ラインセンサからの出力の変換及び距離データの演算を、前記距離データが得られるまで、前記出力の変換の対象とするラインセンサを増やしながら繰り返し行うことを特徴とする請求項３に記載の焦点検出装置。
【請求項５】
前記ラインセンサからの出力の変換及び距離データの演算を、撮影レンズの最大デフォーカスに達するまで前記出力の変換の対象とするラインセンサを増やしながら繰り返し行うことを特徴とする請求項３又は４に記載の焦点検出装置。
【請求項６】
前記第ｍのラインセンサからの出力を用いて距離データを得る場合のほか、
前記１対の第ｍのラインセンサの両側に隣接するラインセンサのうちで撮影レンズの最大でフォーカスに相当する範囲内にあるものからの出力に対して前記変換を行った上で、これらのラインセンサからの変換後の出力を用いて前記演算手段が距離データの演算を行うことを特徴とする請求項３に記載の焦点検出装置。
【請求項７】
第１乃至第ｎの特定エリアを測距する１対の第１乃至第ｎのラインセンサと、
夫々、前記１対の第１乃至第ｎのラインセンサ内の各画素の出力を蓄積する１対の第１乃至第ｎの蓄積手段と、
夫々、前記１対の第１乃至第ｎの蓄積手段による蓄積量が飽和する前に蓄積を停止させる１対の第１乃至第ｎの蓄積制御手段と、
前記第１乃至第ｎの蓄積手段により蓄積された前記各画素の出力から被写体までの距離データの演算を行う演算手段と、
を有し、
予め選択された１対の第（ｍ−ｉ）のラインセンサから第（ｍ＋ｉ）のラインセンサ（１≦ｍ≦ｎ、ｉ＜ｍ、ｉ＜ｎ−ｍ）により同時に蓄積を開始し、
１対の第ｍの蓄積制御手段が１対の第ｍのラインセンサによる蓄積を終了させる際に、前記第（ｍ−ｉ）のラインセンサから第（ｍ＋ｉ）のラインセンサによる蓄積を終了させ、
前記１対の第ｍのラインセンサからの出力を用いて前記演算手段が距離データを得る場合のほか、前記（ｍ−ｉ）のラインセンサから第（ｍ＋ｉ）のラインセンサまでからの出力を用いて前記演算手段が距離データの演算を行うことを特徴とする焦点検出装置。
【請求項８】
第１乃至第ｎの特定エリアを測距する１対の第１乃至第ｎのラインセンサと、
夫々、前記１対の第１乃至第ｎのラインセンサ内の各画素の出力を蓄積する１対の第１乃至第ｎの蓄積手段と、
夫々、前記１対の第１乃至第ｎの蓄積手段による蓄積量が飽和する前に蓄積を停止させる１対の第１乃至第ｎの蓄積制御手段と、
前記第１乃至第ｎの蓄積手段により蓄積された前記各画素の出力から被写体までの距離データの演算を行う演算手段と、
を有し、
予め選択された１対の第（ｍ−ｉ）のラインセンサから第（ｍ＋ｉ）のラインセンサ（１≦ｍ≦ｎ、ｉ＜ｍ、ｉ＜ｎ−ｍ）により同時に蓄積を開始し、
１対の第（ｍ−ｉ）の蓄積制御手段から１対の第（ｍ＋ｉ）の蓄積制御手段のいずれかが当該蓄積制御手段に対応するラインセンサによる蓄積を終了させる際に、前記第（ｍ−ｉ）のラインセンサから第（ｍ＋ｉ）のラインセンサによる蓄積を終了させ、
前記１対の第ｍのラインセンサからの出力を用いて前記演算手段が距離データを得る場合のほか、前記（ｍ−ｉ）のラインセンサから第（ｍ＋ｉ）のラインセンサまでからの出力を用いて前記演算手段が距離データの演算を行うことを特徴とする焦点検出装置。
【請求項９】
複数のラインセンサのうち、所定のラインセンサで測距した測距結果が所望のものでなかった場合には、前記複数のラインセンサの蓄積時間が同一の蓄積時間になるように夫々の測距データを変換し、前記所定のラインセンサ以外の領域まで演算範囲を拡大して距離情報を算出することを特徴とする焦点検出装置。
【請求項１０】
複数のラインセンサの蓄積時間を同一になるように制御すると共に、前記複数のラインセンサのうち、所定のラインセンサで測距した測距結果が所望のものでなかった場合には、前記所定のラインセンサ以外の領域まで演算範囲を拡大して距離情報を算出することを特徴とする焦点検出装置。
【請求項１１】
第１乃至第ｎの特定エリアを測距する１対の第１乃至第ｎのラインセンサを用いた焦点検出方法であって、
予め選択された１対の第ｍ（１≦ｍ≦ｎ）のラインセンサからの出力を用いて距離データを得る場合のほか、
前記第ｍのラインセンサとは異なるラインセンサからの出力を、当該ラインセンサからの出力の蓄積時間を任意の一定の時間とした場合のものに変換した上で、当該ラインセンサからの変換後の出力を用いて距離データの演算を行うことを特徴とする焦点検出方法。
【請求項１２】
第１乃至第ｎの特定エリアを測距する１対の第１乃至第ｎのラインセンサを用いた焦点検出方法であって、
予め選択された１対の第（ｍ−ｉ）のラインセンサから第（ｍ＋ｉ）のラインセンサ（１≦ｍ≦ｎ、ｉ＜ｍ、ｉ＜ｎ−ｍ）により同時に蓄積を開始し、
１対の第ｍのラインセンサによる蓄積を終了させる際に、前記第（ｍ−ｉ）のラインセンサから第（ｍ＋ｉ）のラインセンサによる蓄積を終了させ、
前記１対の第ｍのラインセンサからの出力を用いて距離データを得る場合のほか、前記（ｍ−ｉ）のラインセンサから第（ｍ＋ｉ）のラインセンサまでからの出力を用いて距離データの演算を行うことを特徴とする焦点検出方法。
【請求項１３】
第１乃至第ｎの特定エリアを測距する１対の第１乃至第ｎのラインセンサを用いた焦点検出方法であって、
予め選択された１対の第（ｍ−ｉ）のラインセンサから第（ｍ＋ｉ）のラインセンサ（１≦ｍ≦ｎ、ｉ＜ｍ、ｉ＜ｎ−ｍ）により同時に蓄積を開始し、
前記第（ｍ−ｉ）のラインセンサから第（ｍ＋ｉ）のラインセンサによる蓄積を同時に終了させ、
前記１対の第ｍのラインセンサからの出力を用いて距離データを得る場合のほか、前記（ｍ−ｉ）のラインセンサから第（ｍ＋ｉ）のラインセンサまでからの出力を用いて距離データの演算を行うことを特徴とする焦点検出方法。
【請求項１４】
複数のラインセンサのうち、所定のラインセンサで測距した測距結果が所望のものでなかった場合には、前記複数のラインセンサの蓄積時間が同一の蓄積時間になるように測距データを変換し、前記所定のラインセンサ以外の領域まで演算範囲を拡大して距離情報を算出することを特徴とする焦点検出方法。
【請求項１５】
複数のラインセンサの蓄積時間を同一になるように制御すると共に、前記複数のラインセンサのうち、所定のラインセンサで測距した測距結果が所望のものでなかった場合には、前記所定のラインセンサ以外の領域まで演算範囲を拡大して距離情報を算出することを特徴とする焦点検出方法。